(57)【要約】      （修正有）【課題】ブラジャーのカップ部の形くずれやブラジャーの柔軟で繊細かつ高価な生地の損傷を引き起こすことなく、ブラジャーを保管し携帯できるブラジャー収納具およびブラジャー収納方法を提供する。【解決手段】一対の椀状部１３、１３が連結板１５で略球形状に折り重ね自在にしたブラジャーホルダ１の外部にブラジャーを被せて、カップ部の下縁部を保持するように鍔部に形成したブラジャー保持具１６にてブラジャーのカップ部の位置ずれを阻止するようにして本体に収容した状態で、本体を略平坦状としたり、本体止め具により略球形状に維持したりする。【選択図】図１
2008290722.tif 000002
【特許請求の範囲】
【請求項１】
ブラジャーを被せた状態でブラジャーホルダを収容する本体を備えたブラジャー収容具であって、前記ブラジャーホルダは内側が中空で外側にブラジャーのカップ部を被せる一対の椀状部と前記各椀状部の基部の周縁に形成した鍔部と前記椀状部が前記鍔部を介して横並びに配列するよう形成した連結部と前記カップ部の下縁部を保持するように前記鍔部に形成したブラジャー保持具と前記椀状部の基部を対面させて折り重ねて略球形状となるように前記連結部に形成したヒンジ手段とを備えており、前記本体は開口部を有し、前記一対の椀状部が前記連結部を介して横並びに配列した状態で各椀状部の外側にブラジャーのカップ部を被せて前記開口部から収納することにより前記本体は略平坦状となっており、前記本体を折り重ねることにより略球形状となり、本体を略球形状に維持する本体止め具を前記本体に形成したことを特徴とするブラジャー収容具。
【請求項２】
前記ブラジャーホルダの一対の椀状部に内側と外側とが連通するように貫通孔を形成したことを特徴とする請求項１記載のブラジャー収容具。
【請求項３】
前記ブラジャーホルダの一対の椀状部、鍔部、連結部およびブラジャー保持具を熱可塑性エラストマーで一体に成形したことを特徴とする請求項１または請求項２記載のブラジャー収容具。
【請求項４】
前記本体を略長方形状とし、その長手方向の両端に互いに結合分離自在な一対のフックを設けて本体止め具とし、その結合により略球形状に維持したことを特徴とする請求項１乃至請求項３の何れかひとつ記載のブラジャー収容具。
【請求項５】
前記本体の内部にポケット部を設けたことを特徴とする請求項１乃至請求項４の何れかひとつ記載のブラジャー収容具。
【請求項６】
前記本体は通気性のある素材でできたことを特徴とする請求項１乃至請求項５の何れかひとつ記載のブラジャー収容具。
【請求項７】
ブラジャーホルダは内側が中空で外側にブラジャーのカップ部を被せる一対の椀状部と前記各椀状部の基部の周縁に形成した鍔部と前記椀状部が前記鍔部を介して横並びに配列するよう形成した連結部と前記カップ部の下縁部を保持するように前記鍔部に形成したブラジャー保持具と前記椀状部の基部を対面させて折り重ねて略球形状となるように前記連結部に形成したヒンジ手段とを備えており、ブラジャーを被せた状態でブラジャーホルダを収容する本体は開口部を有し、前記一対の椀状部が前記連結部を介して横並びに配列した状態で各椀状部の外側にブラジャーのカップ部を被せて前記開口部から収納することにより前記本体は略平坦状となり、前記本体を折り重ねることにより略球形状となり、本体を略球形状に維持する本体止め具を前記本体に形成したブラジャー収容具を用いて、略平坦状にしてブラジャーを収納する状態と略球形状に維持してブラジャーを収納する状態とに選択自在としたことを特徴とするブラジャーの収納方法。
【発明の詳細な説明】
【技術分野】
【０００１】
本発明は、ブラジャーを保管したり携帯したり、さらには洗濯をしたりすることができるようにしたブラジャーの収容に関する。
【背景技術】
【０００２】
ブラジャーは女性の軟らかく敏感な乳房に直接に触れるものであることから、柔軟で繊細かつ高価なレースや布などの生地で製作されている。また乳房の形を美しく見せるためにブラジャーのカップ部の縁部にはワイヤーを封入したものもある。このブラジャーをバッグに入れて旅行に携帯する場合、特にブラジャーのカップ部分の形状を保持が必要である。しかし、旅行バッグに入れて携帯する場合、化粧道具や衣類などからの外圧によりブラジャーのカップ部分が変形して不具合が起こるおそれがある。また、ブラジャーを他の衣類と一緒に箪笥の引き出しに入れて保管する場合や攪拌脱水洗濯機に投入して洗濯する場合にも同様にカップ部分が変形して不具合が起こるおそれがある。
【０００３】
そこで、このような不具合を解消するために、例えば、特許文献１のように、ブラジャーのカップ形状に合わせた２つの椀形を組み合わせた格子状または穴あき状の支持体にブラジャーのカップ部分をあてがいネットに被せて支持体を２つに折り重ねた状態で洗濯機に入れて形くずれを防止するようにしたブラジャー洗濯用器具が提案されている。
【０００４】
また、特許文献２では、２つのカップ部を重ね合わせるように折り畳んだ状態のブラジャーの形くずれを防止するブラジャーの保形具で、ブラジャーのカップ部の形状に合わせて形成した保形具本体に２つのカップ部を重ね合わせるように折り畳んだ状態で装着したブラジャーの離脱を防止する係止部を備えており、その係止部を、ブラジャーのカップ部の略全体を覆う覆片で構成した状態で、ブラジャーを包装袋等により簡易包装して輸送しても、輸送中にブラジャーのカップ部が形くずれを起こすことを防止するようにした提案がされている。
【０００５】
次に、特許文献３では、胸パットの椀子状の外観形状と略同一若しくは近似した湾曲形状に形成された収容部を備え、胸パットを収容部に収容することにより、胸パッドの形状を保持し出し入れがしやすくした携行用収容容器が提案されている。
【０００６】
【特許文献１】実開昭６２−１９９０７６号公報
【特許文献２】特開２００１−２９４２８７号公報
【特許文献３】実用新案登録第３１０７１０６号公報
【発明の開示】
【発明が解決しようとする課題】
【０００７】
しかし、特許文献１記載のブラジャー洗濯用器具は格子状または穴あき状の支持体にブラジャーのカップ部分をあてがいネットに被せて洗濯機に入れて形くずれを防止するようにしているが、ブラジャーが支持体からはずれてしまい、依然として形くずれのおそれがあり、これを保管し携帯すると、同様に形くずれによりブラジャーの柔軟で繊細かつ高価な生地が損傷を受けるおそれがあった。
【０００８】
そこで、上記、特許文献１のような形くずれを防止するために特許文献２記載のブラジャーの保形具は、ブラジャーのカップ部の略全体を覆う覆片で係止させているので、ブラジャーのカップ部分を被せるのではなく構造が複雑であり、覆片で係止させる際に損傷させたりするおそれがある。
【０００９】
また、特許文献３記載の携行用収容容器は、胸パッドの形状を保持して出し入れをしやすくしたとはいえ、胸パットの椀子状の外観形状と略同一若しくは近似した湾曲形状に形成された収容部に胸パッドを挿入する手間がかかり、繊細かつ高価な生地でできたブラジャーを損傷させるおそれがある。
【００１０】
本発明はかかる問題点に鑑み、カップ部分の形くずれをしにくくするとともに、生地の損傷やねじれを引き起こすことなく、ブラジャーを保管し携帯し、必要に応じて洗濯できるようにしたブラジャーケースを提供することを目的とする。
【課題を解決するための手段】
【００１１】
本発明のブラジャー収容具は、ブラジャーを被せた状態でブラジャーホルダを収容する本体を備えたブラジャー収容具であって、前記ブラジャーホルダは内側が中空で外側にブラジャーのカップ部を被せる一対の椀状部と前記各椀状部の基部の周縁に形成した鍔部と前記椀状部が前記鍔部を介して横並びに配列するよう形成した連結部と前記カップ部の下縁部を保持するように前記鍔部に形成したブラジャー保持具と前記椀状部の基部を対面させて折り重ねて略球形状となるように前記連結部に形成したヒンジ手段とを備えており、前記本体は開口部を有し、前記一対の椀状部が前記連結部を介して横並びに配列した状態で各椀状部の外側にブラジャーのカップ部を被せて前記開口部から収納することにより前記本体は略平坦状となっており、前記本体を折り重ねることにより略球形状となり、本体を略球形状に維持する本体止め具を前記本体に形成したことを特徴とする。
【００１２】
本発明に用いるブラジャーホルダは、一対の椀状部に内側と外側とが連通するように貫通孔を形成したことを特徴とする。
【００１３】
さらに、本発明に用いるブラジャーホルダは、一対の椀状部、鍔部、連結部およびブラジャー保持具をエラストマーで一体に成形し、この熱可塑性エラストマーを前記ヒンジ手段として利用することを特徴とする。
【００１４】
さらに、本発明に用いる本体は、略長方形状とし、その長手方向の両端に互いに結合分離自在な一対のフックを設けて本体止め具とし、その結合により略球形状に維持したことを特徴とする。
【００１５】
さらに、本発明に用いる本体は、その内部にポケット部を設けたことを特徴とする。
【００１６】
さらに、本発明に用いる本体は、通気性のある素材でできたことを特徴とする。
【００１７】
本発明のブラジャーの収納方法は、ブラジャーホルダは内側が中空で外側にブラジャーのカップ部を被せる一対の椀状部と前記各椀状部の基部の周縁に形成した鍔部と前記椀状部が前記鍔部を介して横並びに配列するよう形成した連結部と前記カップ部の下縁部を保持するように前記鍔部に形成したブラジャー保持具と前記椀状部の基部を対面させて折り重ねて略球形状となるように前記連結部に形成したヒンジ手段とを備えており、ブラジャーを被せた状態でブラジャーホルダを収容する本体は開口部を有し、前記一対の椀状部が前記連結部を介して横並びに配列した状態で各椀状部の外側にブラジャーのカップ部を被せて前記開口部から収納することにより前記本体は略平坦状となり、前記本体を折り重ねることにより略球形状となり、本体を略球形状に維持する本体止め具を前記本体に形成したブラジャー収容具を用いて、略平坦状にしてブラジャーを収納する状態と略球形状に維持してブラジャーを収納する状態とに選択自在としたことを特徴とする。
【発明の効果】
【００１８】
本発明は、ブラジャーホルダは内側が中空で外側にブラジャーのカップ部を被せる一対の椀状部と前記各椀状部の基部の周縁に形成した鍔部と前記椀状部が前記鍔部を介して横並びに配列するよう形成した連結部と前記カップ部の下縁部を保持するように前記鍔部に形成したブラジャー保持具と前記椀状部の基部を対面させて折り重ねて略球形状となるように前記連結部に形成したヒンジ手段とを備えており、ブラジャーを被せた状態でブラジャーホルダを収容する前記本体は開口部を有し、前記一対の椀状部が前記連結部を介して横並びに配列した状態で各椀状部の外側にブラジャーのカップ部を被せて前記開口部から収納することにより前記本体は略平坦状となっており、前記本体を折り重ねることにより略球形状となり、本体を略球形状に維持する本体止め具を前記本体に形成しているので、ブラジャーのカップ部の形状を略球形状に保持することができ、ブラジャーのカップ部の下縁部を保持することができるようにして、ブラジャーを保管したり携帯したりする際に、ブラジャーのカップ部に過大な負荷が作用することはなく、カップ部分の形くずれを引き起こすことを防止したり、ブラジャーの柔軟で繊細かつ高価な生地が損傷を受けることを防止している。また、ブラジャーのカップ部の縁にワイヤーが封入したブラジャーにおいてはそのワイヤーの変形なども防止している。さらに、ブラジャー収容具が平坦な形状であれば、高さが低くなり収納スペースが狭くなるので旅行に携帯し箪笥の引き出しに保管することができる。一方、略球形状であれば、ブラジャーを購入して持ち帰りに便利であり、箪笥の引き出しの隅部に収納したり攪拌脱水洗濯機での洗濯をしたりする際のスペースに応じた利用ができる。
【発明を実施するための最良の形態】
【００１９】
以下、本発明の実施形態を図面に基づいて以下、説明する。
【００２０】
図１および図２において、１はブラジャーホルダで、軟質でかつ弾性復元性を有する材料でできており、例えば、熱可塑性エラストマー、軟質塩化ビニール、軟質ポリエチレンまたは軟質ポリプロピレンなどを用いることができる。その内側１１は中空で、外側１２にはブラジャー１００のカップ部１０１を被せる形状をした一対の椀状部１３、１３が形成されている。一対の椀状部１３、１３は多数の小穴でできた貫通孔１７や多数のスリットでできた貫通孔１８が形成されており、これらの貫通孔１７，１８によりブラジャーホルダ１の内側１１と外側１３とが連通して通気性や通水性が付与されて、ブラジャー１００の湿気除去や洗濯などに利用できる。各椀状部１３の基部の周縁には鍔部１４が形成されている。前記鍔部１４には一対の椀状部１３を横並びに配列するように連結部１５が形成されている。また、鍔部１４にはブラジャー１００のカップ部１０１を前記椀状部１３、１３に被せて装着しやすくするようにさらにはブラジャー１００のカップ部１０１が位置ずれを起こさないようにカップ部１０１の下縁部１０２を保持するＬ字状のブラジャー保持具１６が形成されている。前記ブラジャー保持具１６は各椀状部１３の基部の周縁に形成されている。前記椀状部１３の基部を対面させて略球形状となるように連結部１５の中央部分を薄肉状としたヒンジ手段１０が形成されている。このように一対の椀状部１３、１３と、鍔部１４と、連結部１５と、ブラジャー保持具１６と、椀状部１３の基部を対面させるよう折り重ねて略球形状となるように連結部１５に形成したヒンジ手段１０とが一体に成形されている。この場合、熱可塑性エラストマーで一体に成形することにより、軽量で柔軟性のあるブラジャーホルダ１が得られる。
【００２１】
図３において、２は略長方形状の本体で、ブラジャー１００を出し入れ自在とする開口部２１が形成されている。その長手方向の両端には互いに結合分離自在な一対のフックを例とする本体止め２０Ａ、２０Ｂが設けられている。前記開口部２１にはスライドファスナー２２が設けられていて開閉自在にしている。前記本体２の内部には小物を収容するポケット２３が設けられており、本体２の利用性を向上させている。また、本体２を伸縮性のある布やネットなどの通気性のある素材とすることによりブラジャー１００の湿気除去や洗濯用ネットとしても利用できる。
【００２２】
次に、図３乃至図６に基づいて、ブラジャーの収納手順を説明する。
【００２３】
前記ブラジャーホルダ１の一対の椀状部１３、１３にブラジャー１００のカップ部１０１を被せてカップ部１０１の下縁部１０２をブラジャー保持具１６に保持させ、肩紐(図示せず)を一対の椀状部１３、１３の内側に入れた状態で、これを矢印Ｐのように開口部２１から本体２に入れて後、スライドファスナー２２をスライドさせて開口部２１を閉じることにより略長方形状にブラジャーが収容される。このようにして、ブラジャーホルダ１とともにブラジャー１００が収容された本体２は全体的に平坦な形状となるので、高さが低くなり収納スペースが狭くなるので旅行に携帯し箪笥の引き出しに保管することができる。
【００２４】
次に、本体２にブラジャー１００を収容した状態で、前記椀状部１３の基部を対面させるよう折り重ねて略球形状として一方の本体止め具２０Ａと他方の本体止め具２０Ｂとを結合させることにより略球形状に維持される。このように、ブラジャーホルダ１とともにブラジャー１００が収容された本体２を略球形状とすることにより、ブラジャーを購入して持ち帰りに便利であり、箪笥の引き出しの隅部に収納したり攪拌脱水洗濯機での洗濯をしたりする際のスペースに応じた利用ができる。
【００２５】
上記の手順でブラジャー１００を収納することにより、ブラジャー収容具が平坦な形状であれば、高さが低くなり収納スペースが狭くなるので旅行に携帯し箪笥の引き出しに保管することができる。一方、略球形状であれば、ブラジャーを購入して持ち帰りに便利であり、箪笥の引き出しの隅部に収納したり洗濯したりする際のスペースに応じた利用ができるようにするが、本発明のブラジャー収納具にはカップ部１０１の下縁部１０２をブラジャー保持具１６に保持させるので、各状態に変形する過程でカッブ部１０１の位置ずれが阻止される。その結果、ブラジャー１００のカップ部１０１が変形したり、ブラジャーの柔軟で繊細かつ高価な生地が損傷したりすることを防止したり、ブラジャーのカップ部の縁部にワイヤーが封入されたブラジャーにおいてはそのワイヤーの変形なども防止している。
【００２６】
上記のように、本発明のブラジャーホルダ１は、内側が中空で外側にブラジャー１００のカップ部１０１を被せる一対の椀状部１３、１３と前記各椀状部１３の基部の周縁に形成した鍔部１４と前記椀状部１３が前記鍔部１４を介して横並びに配列するよう形成した連結部１５と前記カップ部１０１の下縁部１０２を保持するように前記鍔部に形成したブラジャー保持具１６と前記椀状部１３の基部を対面させて折り重ねて略球形状となるように前記連結部１５に形成したヒンジ手段１０とを備えており、ブラジャー１００を被せた状態でブラジャーホルダ１を収容する本体２は、開口部２１を有し、前記一対の椀状部１３、１３が前記連結部１５を介して横並びに配列した状態で各椀状部１３の外側にブラジャー１００のカップ部１０１を被せて前記開口部２１から収納することにより前記本体２は略平坦状となり、前記本体２を折り重ねることにより前記本体２は略球形状となり、前記本体２を略球形に維持する本体止め具２０Ａ、２０Ｂを前記本体２に形成したブラジャー収容具を用いて、略平坦状にしてブラジャー１００を収納する状態(図５参照)と、略球形状に維持してブラジャー１００を収納する状態(図６参照)となるように、選択自在とするブラジャー１００の収納方法を提供するために、各状態に変形させる過程でブラジャー保持具１６の利用に着眼して前記椀状部１３、１３に被せて装着しやすくするようにしさらにカッブ部１０１の位置ずれが阻止されるので、ブラジャー１００のカップ部１０１が変形したり、ブラジャーの柔軟で繊細かつ高価な生地が損傷したりすることを防止している。
【図面の簡単な説明】
【００２７】
【図１】本発明に係るブラジャーホルダを示す斜視図である。
【図２】ブラジャーホルダを略球形状に折り重ねた状態を示す斜視図である。
【図３】ブラジャーを本体に収納する動作状態を示す図である。
【図４】ブラジャーを本体に収納した状態を示す図である。
【図５】ブラジャーを平坦な形状に収納した状態を示す斜視図である。
【図６】ブラジャーを球形状に収納した状態を示す斜視図である。
【符号の説明】
【００２８】
１  ブラジャーホルダ
１０  ヒンジ手段
１１  内側
１２  外側
１３  椀状部
１４  鍔部
１５  連結部
１６  ブラジャー保持具
１７  貫通孔
１８  貫通孔
２  本体
２０Ａ  本体止め具
２０Ｂ  本体止め具
２１  開口部
２２  スライドファスナー
２３  ポケット
１００  ブラジャー
１０１  カップ部
１０２  下縁部
【図１】
2008290722.tif 000003
【図２】
2008290722.tif 000004
【図３】
2008290722.tif 000005
【図４】
2008290722.tif 000006
【図５】
2008290722.tif 000007
【図６】
2008290722.tif 000008